(57)【特許請求の範囲】
【請求項１】
被写体を撮像して得られる被写体像を表わす標準画像データを出力する撮像手段，
上記撮像手段から出力される標準画像データによって表わされる標準画像からワイド表示画像となる部分を残すように，標準画像の上，下の少なくともいずれか一方の部分において，縦方向にデータ圧縮のための単位ブロックの整数倍の長さの範囲の画像データのレベルを一定レベルに固定する画像データ・レベル固定手段，
上記画像データ・レベル固定手段により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行なうデータ圧縮手段，
上記画像データ・レベル固定手段における画像データ・レベル固定処理によって一定レベルに固定された画像データによって表される垂直方向の画素数を，一定レベルに固定された画像データの標準画像における位置とともに表わす固定値設定情報を発生する固定値設定情報発生手段，ならびに
上記データ圧縮手段によりデータ圧縮された画像データを，記録媒体の画像データ記録領域に記録し，上記固定値設定情報発生手段から発生する固定値設定情報を上記記録媒体の上記画像データ記録領域以外の補助記録領域に記録する記録制御手段，
を備えたディジタル画像データの記録装置。
【請求項２】
上記画像データ記録領域に記録された圧縮画像データおよび上記補助記録領域に記録された固定値設定情報をそれぞれ読取る読取手段，
上記読取手段により読取られた圧縮画像データをデータ伸長するデータ伸長手段，および
上記読取手段により読取られた固定値設定情報にもとづいて，上記データ伸長手段によりデータ伸長が施された画像データのうち上記画像データ・レベル固定処理が施された画像データ以外の画像データによって表わされる画像を表示装置の表示領域のうちあらかじめ定められた表示領域に表示するように画像表示を制御する画像表示制御手段，
を備えた請求項１に記載のディジタル画像データの記録装置。
【請求項３】
単位画像データのデータ量のｎ倍のデータ量をもつ標準画像データを生成する固体電子撮像素子を含み，上記固体電子撮像素子により被写体を撮像して得られる被写体像を表わす上記標準画像データを出力する撮像手段，
上記撮像手段から出力される標準画像データを，ｎ個の単位画像データに分割する画像データ分割手段，
上記画像データ分割手段によってｎ個に分けられた単位画像データを合成して得られる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定する画像データ・レベル固定手段，
上記画像データ・レベル固定手段により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行なうデータ圧縮手段，
上記画像データ・レベル固定手段における画像データ・レベル固定処理によって一定レベルに固定された画像データによって表される垂直方向の画素数を，一定レベルに固定された画像データの標準画像における位置とともに表わす固定値設定情報を発生する固定値設定情報発生手段，ならびに
上記データ圧縮手段によりデータ圧縮されたｎ個の単位画像データを，記録媒体のｎ個の単位画像データ記録領域に分けて記録し，上記固定値情報設定発生手段から発生する固定値設定情報を上記記録媒体の上記画像データ記録領域以外の補助記録領域に記録する記録制御手段，
を備えたディジタル画像データの記録装置。
【請求項４】
上記画像データ記録領域に記録された圧縮画像データおよび上記補助記録領域に記録された固定値設定情報をそれぞれ読取る読取手段，
上記読取手段により読取られた圧縮データをデータ伸長するデータ伸長手段，および
上記読取手段により読取られた固定値設定情報にもとづいて，上記データ伸長手段によりデータ伸長が施された画像データのうち上記画像データ・レベル固定処理が施された画像データ以外の画像データによって表わされる画像であって合成されることによりワイド表示画像となる画像を，表示装置の表示領域のうちあらかじめ定められた表示領域に表示するように画像表示を制御する画像表示制御手段，
を備えた請求項３に記載のディジタル画像データの記録装置。
【請求項５】
単位画像データのデータ量のｎ倍のデータ量をもつ標準画像データを生成する固体電子撮像素子を含み，上記固体電子撮像素子により被写体を撮像して得られる被写体像を表わす上記標準画像データを出力する撮像手段，
上記撮像手段から出力される標準画像データを，それぞれが一駒の画像を表わすようにｎ個の単位画像データに分割する画像データ分割手段，
上記画像データ分割手段によってｎ個に分けられた単位画像データによって表わされる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定する画像データ・レベル固定手段，
上記画像データ・レベル固定手段により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行なうデータ圧縮手段，
上記画像データ・レベル固定手段における画像データ・レベル固定処理によって一定レベルに固定された画像データによって表される垂直方向の画素数を，一定レベルに固定された画像データの標準画像における位置とともに表わす固定値設定情報を発生する固定値設定情報発生手段，ならびに
上記データ圧縮手段よりデータ圧縮されたｎ個の単位画像データを，記録媒体の単位画像データ記録領域に記録し，上記固定値設定情報発生手段から発生する固定値設定情報を上記記録媒体の上記画像データ記録領域以外の補助記録領域に記録する記録制御手段，
を備えたディジタル画像データの記録装置。
【請求項６】
上記画像データ記録領域に記録された圧縮画像データおよび上記補助記録領域に記録された固定値設定情報をそれぞれ読取る読取手段，
上記読取手段により読取られた圧縮画像データをデータ伸長するデータ伸長手段，および
上記読取手段により読取られた固定値設定情報にもとづいて，上記データ伸長手段によりデータ伸長が施された画像データのうち上記ワイド表示画像となる画像の部分の画像データによって表わされる画像を表示装置の表示領域のうちあらかじめ定められた表示領域に表示するように画像表示を制御する画像表示制御手段，
を備えた請求項５に記載のディジタル画像データの記録装置。
【請求項７】
被写体を撮像して被写体像を表わす標準画像データを得，
撮像によって得られる標準画像データによって表わされる標準画像がワイド表示画像となる部分を残すように，標準画像の上，下の少なくともいずれか一方の部分において縦方向にデータ圧縮のための単位ブロックの整数倍の長さの範囲の画像データのレベルを一定レベルに固定し，
上記画像データ・レベル固定処理により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を施し，
画像データ・レベル固定処理によって一定レベルに固定された画像データによって表される垂直方向の画素数を，一定レベルに固定された画像データの標準画像における位置とともに表わす固定値設定情報を発生し，
上記データ圧縮処理によりデータ圧縮された画像データを，記録媒体の画像データ記録領域に記録し，上記固定値設定情報発生処理により発生する固定値設定情報を上記記録媒体の上記画像データ記録領域以外の補助記録領域に記録する，
ディジタル画像データの記録方法。
【請求項８】
上記画像データ記録領域に記録された圧縮画像データおよび上記補助記録領域に記録された固定値設定情報をそれぞれ読取り，
読取られた圧縮画像データをデータ伸長し，
上記読取られた固定値設定情報にもとづいて，上記データ伸長処理によりデータ伸長が施された画像データのうち上記画像データ・レベル固定処理が施された画像データ以外の画像データによって表わされる画像を表示装置の表示領域のうちあらかじめ定められた表示領域に表示する，
請求項７に記載のディジタル画像データの記録方法。
【請求項９】
単位画像データのデータ量のｎ倍のデータ量をもつ標準画像データを生成する固体電子撮像素子を用いて被写体を撮像し，被写体像を表わす上記標準画像データを得，
上記撮像によって得られる標準画像データを，ｎ個の単位画像データに分割し，
上記画像データ分割処理によってｎ個に分けられた単位画像データを合成して得られる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定し，
上記画像データ・レベル固定処理により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行ない，
画像データ・レベル固定処理によって一定レベルに固定された画像データによって表される垂直方向の画素数を，一定レベルに固定された画像データの標準画像における位置とともに表わす固定値設定情報を発生し，
上記データ圧縮処理によりデータ圧縮されたｎ個の単位画像データを，記録媒体のｎ個の単位画像データ記録領域に分けて記録し，上記固定値設定情報発生処理により発生する固定値設定情報を上記記録媒体の上記画像データ記録領域以外の補助記録領域に記録する，
ディジタル画像データの記録方法。
【請求項１０】
上記画像データ記録領域に記録された圧縮画像データおよび上記補助記録領域に記録された固定値設定情報をそれぞれ読取り，
読取られた圧縮画像データをデータ伸長し，
読取られた固定値設定情報にもとづいて，上記データ伸長処理によりデータ伸長が施された画像データのうち上記画像データ・レベル固定処理が施された画像データ以外の画像データによって表わされる画像であって合成されることによりワイド表示画像となる画像を，表示装置の表示領域のうちあらかじめ定められた表示領域に表示する，
請求項９に記載のディジタル画像データの記録方法。
【請求項１１】
単位画像データのデータ量のｎ倍のデータ量をもつ標準画像データを生成する固体電子撮像素子を用いて被写体を撮像し，被写体像を表わす上記標準画像データを得，
上記撮像によって得られる標準画像データを，それぞれが一駒の画像を表わすようにｎ個の単位画像データに分割し，
上記画像データ分割処理によってｎ個に分けられた単位画像データによって表わされる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定し，
上記画像データ・レベル固定処理により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行ない，
画像データ・レベル固定処理によって一定レベルに固定された画像データによって表される垂直方向の画素数を，一定レベルに固定された画像データの標準画像における位置とともに表わす固定値設定情報を発生し，
上記データ圧縮されたｎ個の単位画像データを，記録媒体の単位画像データ記録領域に記録し，上記固定値設定発生処理により発生する固定値設定情報を上記記録媒体の上記画像データ記録領域以外の補助記録領域に記録する，
ディジタル画像データの記録方法。
【請求項１２】
上記画像データ記録領域に記載された圧縮画像データおよび上記補助記録領域に記録された固定値設定情報をそれぞれ読取り，
読取られた圧縮画像データをデータ伸長し，
読取られた固定値設定情報にもとづいて，上記データ伸長処理によりデータ伸長が施された画像データのうち上記ワイド表示画像となる画像の部分の画像データによって表わされる画像を表示装置の表示領域のうちあらかじめ定められた表示領域に表示する，
請求項11に記載のディジタル画像データの記録方法。
【発明の詳細な説明】
【０００１】
【技術分野】
この発明は，所定の画素数から構成されるブロックごとに，画像データを圧縮して記録媒体に記録するディジタル画像データの記録装置および方法に関する。
【０００２】
【発明の背景】
標準テレビジョン方式における画面のアスペクト比が４：３であるのに対し，画面のアスペクト比が16：９であるワイド画面のテレビジョン方式も実現されている。このように２種類のテレビジョン方式が併存していることから，一方のアスペクト比の画像を表わす画像データから他方のアスペクト比の画像を表わす画像データに変換する技術も要求されている。このような画像データの変換技術の一例としては特開平５−3555号公報，特開平５−199547号公報などに記載のものがある。
【０００３】
一方画像データ処理については，一画面分の画像データ量が膨大となることから画像データの圧縮技術は必須である。
【０００４】
２種類のテレビジョン方式が併存しており，一方のアスペクト比の画像を表わす画像データから他方のアスペクト比の画像を表わす画像データに変換する場合においても画像データの圧縮技術が用いられ，とくに効率の良い画像データ圧縮が要求される。
【０００５】
【発明の開示】
この発明は，少なくとも２種類のテレビジョン方式が併存しており，一方のアスペクト比の画像を表わす画像データから他方のアスペクト比の画像を表わす画像データに変換する場合に，効率良く画像データ圧縮を施すことを目的とする。
【０００６】
第１の発明によるディジタル画像データの記録装置は，被写体を撮像して得られる被写体像を表わす標準画像データを出力する撮像手段，上記撮像手段から出力される標準画像データによって表わされる標準画像からワイド表示画像となる部分を残すように，標準画像の上，下の少なくともいずれか一方の部分において，縦方向にデータ圧縮のための単位ブロックの整数倍の長さの範囲の画像データのレベルを一定レベルに固定する画像データ・レベル固定手段，上記画像データ・レベル固定手段により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行なうデータ圧縮手段，ならびに上記データ圧縮手段によりデータ圧縮された画像データを記録媒体に記録する記録制御手段を備えていることを特徴とする。
【０００７】
第１の発明はディジタル画像データの記録方法も提供している。すなわち，被写体を撮像して被写体像を表わす標準画像データを得，撮像によって得られる標準画像データによって表わされる標準画像がワイド表示画像となる部分を残すように，標準画像の上，下の少なくともいずれか一方の部分において縦方向にデータ圧縮のための単位ブロックの整数倍の長さの範囲の画像データのレベルを一定レベルに固定し，上記画像データ・レベル固定処理により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を施し，データ圧縮された画像データを記録媒体に記録することを特徴とする。
【０００８】
上記撮像によって得られる標準画像データにより表わされる標準画像は，たとえばアスペクト比が４：３のノーマル表示画像である。このような標準画像データからアスペクト比が16：９のワイド表示を可能とするには上記標準画像データからワイド画像を表わす画像データを得なければならない。
【０００９】
第１の発明においては，上記標準画像データのうちワイド表示画像に用いられる部分を除く部分の画像データについては，そのレベルが一定レベルに固定される。これにより，一定レベルに固定されない画像データがワイド表示画像を表わすこととなる。
【００１０】
一定レベルに固定された画像データおよび上記標準画像から上記ワイド表示画像として残る部分を表わす画像データについては，所定の画素数からに構成される単位ブロックごとにデータ圧縮が施される。一定レベルに固定された画像データについては高い圧縮率で圧縮ができ効率の良いデータ圧縮が可能である。とくに第１の発明においては画像データのレベルを一定レベルに固定する部分については上記ブロックの整数倍の長さの範囲に設定されている。したがって，上記標準画像データによって表わされる標準画像をブロックに分割し，ブロックごとにデータ圧縮を施す場合，一定レベルに固定する部分についてはブロック内の画像データ・レベルは常に一定レベルとなり，一定レベルに固定された画像データと一定レベルに固定されていない画像データとが混在することがない。このために効率の良いデータ圧縮が可能となる。
【００１１】
上記画像データ・レベル固定処理および上記データ圧縮処理が施されていることを表わす識別データを発生し，上記データ圧縮処理によりデータ圧縮された画像データを，記録媒体の画像データ記録領域に記録し，上記識別データ発生処理により発生する識別データを上記記録媒体の上記画像データ記録領域以外の補助記録領域に記録することが好ましい。
【００１２】
この場合，第１の発明の記録装置および記録方法については，次のような再生機能および再生処理をもたせる。
【００１３】
第１の発明が記録装置の場合には，上記画像データ記録領域に記録された圧縮画像データおよび上記補助記録領域に記録された識別データをそれぞれ読取る読取手段，上記読取手段により読取られた圧縮画像データをデータ伸長するデータ伸長手段，および上記読取手段により読取られた識別データにもとづいて，上記データ伸長手段によりデータ伸長が施された画像データのうち上記画像データ・レベル固定処理が施された画像データ以外の画像データによって表わされる画像を表示装置の表示領域のうちあらかじめ定められた表示領域に表示するように画像表示を制御する画像表示制御手段を備えているものとして特徴づけられる。
【００１４】
第１の発明が記録方法の場合には，上記画像データ記録領域に記録された圧縮画像データおよび上記補助記録領域に記録された識別データをそれぞれ読取り，読取られた圧縮画像データをデータ伸長し，上記読取られた識別データにもとづいて，上記データ伸長処理によりデータ伸長が施された画像データのうち上記画像データ・レベル固定処理が施された画像データ以外の画像データによって表わされる画像を表示装置の表示領域のうちあらかじめ定められた表示領域に表示するものとして特徴づけられる。
【００１５】
これによりあらかじめ定められた表示領域にワイド画像が表示される。
【００１６】
ノーマル表示の標準画像データからワイド表示の画像データが得られ，ワイド画像の表示が可能とされる。
【００１７】
第２の発明によるディジタル画像データの記録装置は，単位画像データのデータ量のｎ倍のデータ量をもつ標準画像データを生成する固体電子撮像素子を含み，上記固体電子撮像素子により被写体を撮像して得られる被写体像を表わす上記標準画像データを出力する撮像手段，上記撮像手段から出力される標準画像データを，ｎ個の単位画像データに分割する画像データ分割手段，上記画像データ分割手段によってｎ個に分けられた単位画像データを合成して得られる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定する画像データ・レベル固定手段，上記画像データ・レベル固定手段により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行なうデータ圧縮手段，ならびに上記データ圧縮手段によりデータ圧縮されたｎ個の単位画像データを，ｎ個の単位画像データ記録領域に分けて記録する記録制御手段を備えていることを特徴とする。
【００１８】
第２の発明によるディジタル画像データの記録方法は，単位画像データのデータ量のｎ倍のデータ量をもつ標準画像データを生成する固体電子撮像素子を用いて被写体を撮像し，被写体像を表わす上記標準画像データを得，上記撮像によって得られる標準画像データを，ｎ個の単位画像データに分割し，上記画像データ分割処理によってｎ個に分けられた単位画像データを合成して得られる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定し，上記画像データ・レベル固定処理により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行ない，上記データ圧縮処理によりデータ圧縮されたｎ個の単位画像データを，ｎ個の単位画像データ記録領域に分けて記録することを特徴とする。
【００１９】
上記単位画像データのデータ量はたとえば約35万画素である。
【００２０】
第２の発明においては上記撮像によって得られる標準画像データのデータ量は上記単位画像データのデータ量のｎ倍（たとえば70万画素）あり，この標準画像データによって表わされる標準画像はたとえばノーマル画像の４：３のアスペクト比を有している。ディジタル・ビデオ・テープ・レコーダなどにおいてはたとえば水平方向720 画素，垂直方向480 画素の約35万画素の単位画像データを単位記録領域（たとえば連続する10トラック）に記録するようにその規格が定められているので，上記標準画像データはそのままの形態では記録できない。このために第２の発明では標準画像データを，ｎ個の単位画像データに分けている。これにより従来の規格にしたがった記録が可能である。
【００２１】
第２の発明では，このようにノーマル画像を表わす標準画像データが単位画像データに分けて記録媒体に記録する場合に，ワイド画像を表わす画像データを得，しかも効率の良いデータ圧縮を可能とする。
【００２２】
第２の発明では，ｎ個に分けられた単位画像データのうち合成することによりワイド画像となる部分以外の部分の画像データについては，そのレベルが一定レベルに固定される。これにより一定レベルに固定されない残りの画像データが合成されることによりワイド表示画像を表わすこととなる。
【００２３】
分割された画像データは，所定の画素数から構成されるブロックごとにデータ圧縮が施される。一定レベルに固定された画像データについては高い圧縮率で圧縮される。第２の発明においても画像データのレベルを一定レベルに固定する部分については上記ブロックの整数倍の長さの範囲に設定されている。したがって，上記標準画像データによって表わされる標準画像をブロックに分割し，ブロックごとにデータ圧縮を施す場合，一定レベルに固定する部分についてはブロック内の画像データ・レベルは常に一定レベルとなり，一定レベルに固定された画像データと一定レベルに固定されていない画像データとが混在することがない。このために効率の良いデータ圧縮が可能となる。
【００２４】
上記画像データ・レベル固定処理および上記データ圧縮処理が施されていることを表わす識別データを発生し，上記データ圧縮処理によりデータ圧縮されたｎ個の単位画像データを，記録媒体のｎ個の単位画像データ記録領域に分けて記録し，上記識別データ発生処理により発生する識別データを上記記録媒体の上記画像データ記録領域以外の補助記録領域に記録することが好ましい。
【００２５】
この場合も，第１の発明と同様に第２の発明の記録装置および記録方法については，次のような再生機能および再生処理をもたせる。
【００２６】
第２の発明が記録装置の場合には，上記画像データ記録領域に記録された圧縮画像データおよび上記補助記録領域に記録された識別データをそれぞれ読取る読取手段，上記読取手段により読取られた圧縮データをデータ伸長するデータ伸長手段，および上記読取手段により読取られた識別データにもとづいて，上記データ伸長手段によりデータ伸長が施された画像データのうち上記画像データ・レベル固定処理が施された画像データ以外の画像データによって表わされる画像であって合成されることによりワイド表示画像となる画像を，表示装置の表示領域のうちあらかじめ定められた表示領域に表示するように画像表示を制御する画像表示制御手段を備えるものとして特徴づけられる。
【００２７】
第２の発明が記録方法の場合には，上記画像データ記録領域に記録された圧縮画像データおよび上記補助記録領域に記録された識別データをそれぞれ読取り，読取られた圧縮画像データをデータ伸長し，読取られた識別データにもとづいて，上記データ伸長処理によりデータ伸長が施された画像データのうち上記画像データ・レベル固定処理が施された画像データ以外の画像データによって表わされる画像であって合成されることによりワイド表示画像となる画像を，表示装置の表示領域のうちあらかじめ定められた表示領域に表示するものとして特徴づけられる。
【００２８】
これによりあらかじめ定められた表示領域にワイド画像が表示される。
【００２９】
第３の発明の画像データ記録装置は，単位画像データのデータ量のｎ倍のデータ量をもつ標準画像データを生成する固体電子撮像素子を含み，上記固体電子撮像素子により被写体を撮像して得られる被写体像を表わす上記標準画像データを出力する撮像手段，上記撮像手段から出力される標準画像データを，それぞれが一駒の画像を表わすようにｎ個の単位画像データに分割する画像データ分割手段，上記画像データ分割手段によってｎ個に分けられた単位画像データによって表わされる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定する画像データ・レベル固定手段，上記画像データ・レベル固定手段により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行なうデータ圧縮手段，ならびに上記データ圧縮手段によりデータ圧縮されたｎ個の単位画像データを，ｎ個の単位画像データ記録領域に分けて記録する記録制御手段を備えていることを特徴とする。
【００３０】
第３の発明は画像データの記録方法も提供している。すなわち，単位画像データのデータ量のｎ倍のデータ量をもつ標準画像データを生成する固体電子撮像素子を用いて被写体を撮像し，被写体像を表わす上記標準画像データを得，上記撮像によって得られる標準画像データを，それぞれが一駒の画像を表わすようにｎ個の単位画像データに分割し，上記画像データ分割処理によってｎ個に分けられた単位画像データによって表わされる画像がワイド表示画像となる部分を残すように，標準画像の上，下の少なくともいずれか一方の部分において，縦方向にデータ圧縮のための単位ブロックの整数倍の長さの範囲の画像データのレベルを一定レベルに固定し，上記画像データ・レベル固定処理により一定レベルに固定された画像データおよび上記標準画像から上記ワイド表示画像として残る部分を表わす画像データについて，圧縮後の一画面分のデータ量があらかじめ定められたデータ量となるように上記単位ブロックごとにデータ圧縮を行ない，上記データ圧縮処理によりデータ圧縮されたｎ個の単位画像データを，ｎ個の単位画像データ記録領域に分けて記録することを特徴とする。
【００３１】
上記単位画像データのデータ量はたとえば約35万画素である。
【００３２】
第３の発明においては上記撮像手段から出力される標準画像データのデータ量は上記単位画像データのデータ量のｎ倍（たとえば70万画素）ある。ディジタル・ビデオ・テープ・レコーダなどにおいてはたとえば水平方向720 画素，垂直方向480 画素の約35万画素の単位画像データを単位記録領域（たとえば連続する10トラック）に記録するようにその規格が定められているので，上記標準画像データはそのまままの形態では記録できない。このために第３の発明では標準画像データを，それぞれが一駒を構成し，ｎ個の単位画像データに分けている。これにより従来の規格にしたがって記録が可能である。しかも第３の発明では分けられた単位画像によって表わされる画像は一駒を構成しているので再生時においても読出すだけで一駒を構成する画像が得られる。
【００３３】
第３の発明においては，それぞれが一駒を構成するように分けられた上記単位画像データのうちワイド表示画像に用いられる部分を除く部分の画像データについては，そのレベルが一定レベルに固定される。これにより，一定レベルに固定されない残りの画像データがワイド表示画像を表わすこととなる。
【００３４】
一定レベルに固定された画像データおよび上記標準画像から上記ワイド表示画像として残る部分を表わす画像データについては，所定の画素数から構成されるブロックごとにデータ圧縮が施される。一定レベルに固定された画像データについては高い圧縮率で圧縮ができ効率の良いデータ圧縮が可能である。とくに第３の発明においては画像データのレベルを一定レベルに固定する部分については上記ブロックの整数倍の長さの範囲に設定されている。したがって，上記標準画像データによって表わされる標準画像をブロックに分割し，ブロックごとにデータ圧縮を施す場合，一定レベルに固定する部分についてはブロック内の画像データ・レベルは常に一定レベルとなり，一定レベルに固定された画像データと一定レベルに固定されていない画像データとが混在することがない。このために効率の良いデータ圧縮が可能となる。
【００３５】
上記画像データ・レベル固定処理および上記データ圧縮処理が施されていることを表わす識別データを発生し，上記データ圧縮されたｎ個の単位画像データを，記録媒体の単位画像データ記録領域に記録し，上記識別データ発生処理により発生する識別データを上記記録媒体の上記画像テータ記録領域以外の補助記録領域に記録することが好ましい。
【００３６】
この場合も，第３の発明における記録装置および記録方法については再生機能および再生処理をもたせる。
【００３７】
第３の発明が記録装置の場合は，上記画像データ記録領域に記録された圧縮画像データおよび上記補助記録領域に記録された識別データをそれぞれ読取る読取手段，上記読取手段により読取られた圧縮画像データをデータ伸長するデータ伸長手段，および上記読取手段により読取られた識別データにもとづいて，上記データ伸長手段によりデータ伸長が施された画像データのうち上記ワイド表示画像となる画像の部分の画像データによって表わされる画像を表示装置の表示領域のうちあらかじめ定められた表示領域に表示するように画像表示を制御する画像表示制御手段を備えているものとして特徴づけられる。
【００３８】
第３の発明が記録方法の場合は，上記画像データ記録領域に記載された圧縮画像データおよび上記補助記録領域に記録された識別データをそれぞれ読取り，読取られた圧縮画像データをデータ伸長し，読取られた識別データにもとづいて，上記データ伸長処理によりデータ伸長が施された画像データのうち上記ワイド表示画像となる画像の部分の画像データによって表わされる画像を表示装置の表示領域のうちあらかじめ定められた表示領域に表示するものとして特徴づけられる。
【００３９】
【実施例の説明】
図１から図８はこの発明の第１実施例を示すものである。
【００４０】
ディジタル・ビデオ・テープ・レコーダの構成および動作の説明に先だち，ディジタル・ビデオ・テープ・レコーダによる磁気テープへの記録方式に関する既存の標準的な業界規格について説明しておく。
【００４１】
磁気テープの記録フォーマットが図８(A) および(B) に示されている。図８(A) は磁気テープ８のトラックＴｒを示すもので，磁気テープ８の長手方向に対して斜め方向に一定の角度で多数のトラックＴｒが形成される。これらの多数のトラックＴｒのうち連続する10個のトラックを用いて１フレーム分のディジタル画像データが記録される。
【００４２】
図８(B) にトラック・フォーマットが示されている。１つのトラックＴｒには，サブコード記録領域，ビデオ記録領域，補助記録領域，オーディオ記録領域およびトラック情報記録領域が含まれている。サブコード記録領域には高速検索のためのタイムコードや絶対トラック番号などの情報が記録される。ビデオ記録領域には被写体像を表わすディジタル画像データが記録される。オーディオ記録領域には音を表わすデータが記録される。トラック情報記録領域には磁気ヘッドがトラックＴｒの中心をトレースするための，トラックＴｒの基準となる情報が記録される。補助記録領域は飛び飛びに設けられ，この補助記録領域には付加情報が記録される。各領域の間に設けられるギャップは図示が省略されている。
【００４３】
ディジタル・ビデオ・テープ・レコーダの撮像部に用いられるＣＣＤは一般的には（従来）水平ＣＣＤ転送クロック周波数13.5ＭＨｚである，水平方向720 画素，垂直方向480 画素の約35万画素の画素数をもつものが用いられる。このようなＣＣＤを用いて得られた１フレーム分のディジタル画像データが，磁気テープ８の10トラックに記録される。これが既存の規格である。
【００４４】
図１はディジタル・ビデオ・テープ・レコーダの記録系の電気的構成を示すブロック図である。図３は図１に示すディジタル・ビデオ・テープ・レコーダに流れる画像データによって表わされる画像を示している。
【００４５】
図１に示すディジタル・ビデオ・テープ・レコーダは撮像によって得られた４：３のアスペクト比をもつノーマル表示画像用の画像データを，16：９のアスペクト比をもつワイド表示画像用の画像データに変換して記録するものである。
【００４６】
図１を参照して，被写体像は撮像レンズ11によってＣＣＤ12の受光面に結像する。ＣＣＤ12は水平方向720 画素，垂直方向480 画素の画素数をもつもので，図１に示すディジタル・ビデオ・テープ・レコーダではこれらの画素によって表わされる画像が４：３のアスペクト比をもつノーマル表示画像とされる。被写体の撮像によって被写体像を表わすアナログ映像信号がＣＣＤ12から出力され，データ読出回路13に与えられる。データ読出回路13においてディジタル画像データに変換され，輝度色差生成回路14に与えられる。輝度色差生成回路14は，入力する画像データから輝度データＹならびに色差データＲ−ＹおよびＢ−Ｙを生成して出力する回路である。
【００４７】
輝度色差生成回路14から出力される輝度データＹ，色差データＲ−Ｙおよび色差データＢ−Ｙはデータ配列作成回路15Ａ，15Ｂおよび15Ｃにそれぞれ与えられる。データ配列作成回路15Ａ，15Ｂおよび15Ｃはシリアルに与えられる輝度データＹ，色差データＲ−ＹおよびＢ−Ｙを，図３に示すように水平方向720 画素，垂直方向480 画素の画像データとなるようにデータ配列を行なう回路である。データ配列作成回路15Ａ，15Ｂおよび15Ｃから出力される輝度データＹ，色差データＲ−Ｙおよび色差データＢ−Ｙは，画像データ固定化装置16に含まれる画像データ固定化回路16Ａ，16Ｂおよび16Ｃにそれぞれ与えられる。
【００４８】
画像データ固定化回路16Ａ，16Ｂおよび16Ｃは入力する水平方向720 画素，垂直方向480 画素の輝度データＹ，色差データＲ−Ｙおよび色差データＢ−Ｙを，それぞれ水平方向720 画素，垂直方向360 画素についての画像データのみ有効な画像データとし，そのほかの画像データについては画像データのレベルを一定レベル，たとえば黒レベルに固定し無効な画像データとする回路である。図３においては無効な画像データによって表わされる画像の部分がハッチングによって示されている。画像データ固定化回路16Ａ，16Ｂおよび16Ｃによって水平方向720 画素，垂直方向360 画素についての画像データのみ有効画像データとされることにより16：９のアスペクト比をもつワイド画像を表わす画像データが得られる。水平方向720 画素，垂直方向480 画素によって表わされる画像を４：３のアスペクト比をもつノーマル表示画像とみなした場合，16：９のアスペクト比をもつワイド表示画像は水平方向720 画素，垂直方向360 画素によって表わされるからである。
【００４９】
画像データ固定化回路16Ａ，16Ｂおよび16Ｃによって無効データとされる画像データによって表わされる画像の部分は，その垂直方向の画像部分が８画素の整数倍に規定される。図３に示すように水平方向720 画素，垂直方向480 画素の画像を表わす画像データから，水平方向720 画素，垂直方向360 画素の画像を表わす画像データを有効とする場合，無効とする部分は画像の上部および下部とすることが考えられるが，上部についてはｍ画素分（たとえば64画素），下部についてはｎ画素分（たとえば56画素）が無効とされる。無効とされる画像部分については画像の上部と下部とに分ける必要は必ずしもなく，上部のみまたは下部のみを無効とするようにしてもよい。
【００５０】
画像データ固定化回路16，16Ｂおよび16Ｃによって無効データとされる画像データによって表わされる画像の部分は，その垂直方向の画像部分が８画素の整数倍に規定されるのは後述するデータ圧宿を効率良く行なうためであるが，その理由について詳しくは後述するデータ圧縮回路19の説明において行なう。
【００５１】
画像データ固定化回路16Ｂおよび16Ｃから出力される色差データＲ−ＹおよびＢ−Ｙは，サンプリング変換回路17Ｂおよび17Ｃにそれぞれ与えられる。サンプリング変換回路17Ｂおよび17Ｃは，データのサンプリングのタイミングを変えることにより入力する色差データＲ−ＹおよびＢ−Ｙの間引きを行なう回路である。サンプリング変換回路17Ｂおよび17Ｃにより水平方向720 画素，垂直方向480 画素の画像データが，水平方向180 画素，垂直方向480 画素の画像データとなるように間引き処理が行なわれ出力される。サンプリング変換回路17Ｂおよび17Ｃから出力される色差データＲ−ＹおよびＢ−Ｙはデータ圧縮回路19に与えられる。データ圧縮回路19には画像データ固定化回路16Ａから出力される輝度データＹも与えられる。
【００５２】
データ圧縮回路19はＤＣＴ（Discrete Cosine Transform ）を利用して，画像データの圧縮を行なう回路である。
【００５３】
データ圧縮回路19においては，まずブロック化処理が行なわれ，入力する輝度データと，色差データＲ−ＹおよびＢ−Ｙによって表わされる画像が水平方向８画素，垂直方向８画素のブロックに分けられる。
【００５４】
図４(A) に１フレームの輝度データＹによって表わされる画面が示されており，図４(B) に１フレームの色差データＲ−ＹまたはＢ−Ｙによって表わされる画面が示されている。
【００５５】
輝度データＹの画素数は水平方向720 画素，垂直方向480 画素である。したがって輝度データＹについては，図４(A) に示すように水平方向に90ブロック，垂直方向に60ブロックに分けられる。また，色差データＲ−ＹとＢ−Ｙの画素数は，水平方向180 画素，垂直方向480 画素である。したがって色差データＲ−ＹおよびＢ−Ｙについては図４(B) に示すように水平方向に22.5ブロックに分けられる。また右端のブロックについては水平方向４画素，垂直方向８画素の小ブロックとなってしまうため図５に示すように２つの小ブロックから１つのブロックが形成される。
【００５６】
ブロック化処理において，水平方向８画素，垂直方向８画素のブロックに分けられた輝度データＹならびに色差データＲ−ＹおよびＢ−Ｙについてはマクロ・ブロック化処理が行なわれる。マクロ・ブロック化処理は，図５に示すように４つのブロックからなる輝度データＹと，画面上においてこの４つのブロックと同じ位置にある色差データＲ−ＹおよびＢ−Ｙとから構成されるマクロ・ブロックを生成する回路である。マクロ・ブロック化処理においてマクロ・ブロック化された輝度データＹならびに色差データＲ−ＹおよびＢ−Ｙについてはシャフリング処理が行なわれる。
【００５７】
シャフリング処理に際して，マクロ・ブロックから構成される一画面分の画像が構成される。この画像は図７に示すように水平方向22.5マクロ・ブロック，垂直方向60マクロ・ブロックから構成される。
【００５８】
シャフリング処理は，ある決まりに従って異なる部分からマクロ・ブロックを選び順次繰返されることにより行なわれる。図７に示す例では１つの画像から５つのマクロ・ブロックＭＢA 〜ＭＢE が選ばれている。この選ばれた５つのマクロ・ブロックＭＢA 〜ＭＢE の画像データについてＤＣＴ変換が施されることによりデータ圧縮が行なわれ，データ圧縮後の５つのマクロ・ブロックＭＢA 〜ＭＢE の画像データのデータ量があらかじめ定められた固定長とされる。
【００５９】
図１に示すディジタル・ビデオ・テープ・レコーダでは，このシャフリング処理において選択される複数のマクロ・ブロックのうち少なくとも１つは，図３に示したように画像データ固定化回路16Ａ，16Ｂおよび16Ｃにおいて画像データ・レベルが固定されることにより無効データとされた画像データによって表わされる部分から選択される。無効データとされた画像データによって表わされる部分については画像データ・レベルが固定されているから，きわめて高い圧縮が可能である。その一方シャフリングにより得られた複数のマクロ・ブロック（ここでは５個）のデータ圧縮後のデータ量は一定とされるから，無効データとされた画像データによって表わされる部分から選ばれたマクロ・ブロック以外のマクロ・ブロックについての圧縮は低い圧縮率で済み，結果的には再生時において高画質画像が得られる。
【００６０】
さらに図１に示すディジタル・ビデオ・テープ・レコーダでは，画像データ固定化回路16Ａ，16Ｂおよび16Ｃにおける画像データの固定化処理において無効データとされる画像データによって表わされる画像の部分の垂直方向の画像部分が８画素の整数倍に規定されている。このため無効データとされた画像データによって表わされる画像部分から選択されるマクロ・ブロックは，すべて無効画像データによって生成されているものであり有効画像データは含まれていない。したがって無効データとされた画像データによって表わされる画像部分から選択するマクロ・ブロックについては高い圧縮が可能となり，有効な画像データによって表わされる画像の部分から選ばれたマクロ・ブロックについては，固定長のデータ圧縮であっても，低い圧縮で済むこととなる。これが，無効データによって表わされる部分の垂直方向の部分が８画素の整数倍に規定されている理由である。
【００６１】
データ圧縮回路19から出力される圧縮画像データはデータ列作成回路20に与えられる。データ列作成回路20には画像データ固定化回路16Ａ，16Ｂおよび16Ｃにおいて無効データとされた画像データによって表わされる垂直方向の画素数（ｍ，ｎ）を表わす固定値設定情報も与えられる。データ列作成回路20において，磁気テープ８のビデオ記録領域Ａ2 に圧縮画像データが記録され，補助記録領域Ａ3 に固定値設定情報が記録されるようにデータ列が生成される。データ列作成回路20から出力されるデータは磁気ヘッド21に与えられる。磁気ヘッド21により，磁気テープ８のビデオ記録領域Ａ2 に圧縮画像データが記録され，補助記録領域Ａ3 に固定値設定情報が記録される。
【００６２】
図２はディジタル・ビデオ・テープ・レコーダの再生系の電気的構成を示すブロック図である。
【００６３】
磁気ヘッド31によって，磁気テープ８のビデオ記録領域Ａ2 に記録された圧縮画像データおよび補助記録領域Ａ3 に記録された固定値設定情報が読取られ，データ復調回路32において復調される。データ復調回路32において復調された固定値設定情報はビデオ信号生成および表示制御回路35に与えられる。復調された圧縮画像データはデータ復調回路32において輝度データＹ，色差データＢ−ＹおよびＲ−Ｙに分けられて出力される。データ復調回路32から出力される，圧縮された輝度データＹ，色差データＢ−ＹおよびＲ−Ｙはデータ伸長回路33に与えられデータ伸長処理が施される。
【００６４】
データ伸長された輝度データＹはビデオ信号生成および表示制御回路35に与えられる。一方データ伸長された色差データＢ−ＹおよびＲ−Ｙはサンプリング変換回路34に与えられ，水平方向180 画素，垂直方向480 画素から水平方向720 画素，垂直方向480 画素に戻される。サンプリング変換回路34の出力色差データＢ−ＹおよびＲ−Ｙはビデオ信号生成および表示制御回路35に与えられる。
【００６５】
ビデオ信号生成および表示制御回路35は，与えられる輝度データＹ，色差データＢ−ＹおよびＲ−Ｙから表示装置41に表示が可能なようにビデオ信号を生成するとともに，表示装置41の表示画面上における表示位置を制御する回路である。表示装置41が，水平方向720 画素，垂直方向480 画素のノーマル表示用のものである場合，画像データは水平方向720 画素，垂直方向360 画素以外の部分についてはそのレベルが固定とされているから表示画面上ではたとえば真黒となる。この黒くなる位置，言い換えれば水平方向720 画素，垂直方向360 画素の画像を表示する位置を制御するのが表示制御回路35である。無効部分か画面の上部または下部に偏っていても，回路35における表示制御により表示画面の中央部分など所望の位置に表示可能となる。画像データの固定化処理が行なわれているか否かはデータ復調回路32から与えられる固定値設定情報により知ることができる。
【００６６】
図９から図12は他の実施例を示すものである。
【００６７】
図９はディジタル・ビデオ・テープ・レコーダの記録系の電気的構成を示すブロック図である。図９において図１に示すものと同一物には同一符号を付して説明を省略する。
【００６８】
図９に示すディジタル・ビデオ・テープ・レコーダは従来の記録の規格にしたがった上で高画質のノーマル表示画像を表わす画像データの記録と高画質のワイド表示画像を表わす画像データの記録とが可能なものである。
【００６９】
図９に示すディジタル・ビデオ・テープ・レコーダは高画質の画像データを得るために多くの画素数をもつＣＣＤ12Ａが撮像素子に用いられている。ＣＣＤ12Ａは図11の左端に示されているように水平方向720 画素，垂直方向960 画素＝約70万画素の画素数を有するものである。この水平方向720 画素，垂直方向960 画素の画像データによって４：３のアスペクト比をもつ高画質なノーマル画像が表示される。ＣＣＤ12Ａから出力される映像信号は，データ読出回路13，輝度色差生成回路14ならびにデータ配列作成回路15Ａ，15Ｂおよび15Ｃを経て水平方向720 画素，垂直方向960 画素分の輝度データＹ，色差データＲ−ＹおよびＢ−Ｙが得られる。これらの輝度データＹ，色差データＲ−ＹおよびＢ−Ｙは，画像分割回路22Ａ，22Ｂおよび22Ｃにそれぞれ与えられる。
【００７０】
ディジタル・ビデオ・テープ・レコーダの従来の記録の規格では，水平方向720 画素，垂直方向480 画素＝約35万画素の１フレーム分の画像データを，連続する10トラックのビデオ記録領域に記録するようにされているから，ＣＣＤ12Ａから得られる水平方向720 画素，垂直方向960 画素＝約70万画素の画像データをそのまま記録することはできない。このため図９に示すディジタル・ビデオ・テープ・レコーダでは水平方向720 画素，垂直方向960 画素＝約70万画素の画像データを，水平方向720 画素，垂直方向480 画素＝約35万画素の２つの画像データに分けた上で磁気テープ８に記録している。この画像データの分割処理を，輝度データＹ，色差データＲ−ＹおよびＢ−Ｙごとに行なうのが画像分割回路22Ａ，22Ｂおよび22Ｃである。
【００７１】
画像分割回路22Ａにおいて，約70万画素の輝度データＹが２つに分けられ画像データ固定化回路23Ａおよび23Ｂにそれぞれ与えられる。色差データＲ−ＹおよびＢ−Ｙについても輝度データＹと同様にそれぞれ２つに分けられた色差データＲ−ＹおよびＢ−Ｙが画像データ固定化回路23Ｃおよび23Ｄならびに23Ｅおよび23Ｆにそれぞれ与えられる。
【００７２】
画像データ固定化回路23Ａおよび23Ｂは，与えられる２つの，水平方向720 画素，垂直方向480 画素＝約35万画素の輝度データＹ（言い換えれば水平方向720 画素，垂直方向960 画素の輝度データＹ）から水平方向720 画素，垂直方向720 画素の輝度データＹについて有効データとし，そのほかの輝度データＹについては輝度データ・レベルを一定レベル（たとえば黒レベル）に固定することにより無効データとする回路である。水平方向720 画素，垂直方向960 画素の画像を４：３アスペクト比をもつ高画質なノーマル表示画像とみなした場合，16：９のアスペクト比をもつ高画質なワイド表示画像は水平方向720 画素，垂直方向720 画素によって表わされるため，水平方向720 画素，垂直方向720 画素の画像データが有効データとされる。２つに分けられた輝度データのうち，一方の輝度データＹのうち垂直方向にｍ画素分の輝度データＹのレベルが固定され，他方の輝度データＹのうち垂直方向にｎ画素分の輝度データＹのレベルが固定される。960 画素から720 画素を引いたときの画素数が，ｍ画素とｎ画素との和となる（960 −720 ＝ｍ＋ｎ）。
【００７３】
さらに画像データ固定化回路23Ａおよび23Ｂにおいて，データ・レベルが一定レベルに固定されている画像部分（図11においてハッチングで示されている）の垂直方向の画素数ｍとｎとはそれぞれ８画素の整数倍に設定されている。したがって図１に示すディジタル・ビデオ・テープ・レコーダと同様に，図９に示すディジタル・ビデオ・テープ・レコーダにおいても効率の良いデータ圧縮が可能となる。この理由についてはすでに説明したためこれ以上の重複説明を避ける。
【００７４】
色差データＲ−ＹおよびＢ−Ｙについても，画像データ固定化回路23Ｃおよび23Ｄならびに23Ｅおよび23Ｆによって輝度データＹについての処理と同様のデータ固定化処理が行なわれる。画像データ固定化回路23Ｃおよび23Ｅが，画像データ固定化回路23Ａと同様の処理を行ない，画像データ固定化回路23Ｄおよび23Ｆが，画像データ固定化回路23Ｂと同様の処理を行なう。したがって色差データＲ−ＹおよびＢ−Ｙについても輝度データＹと同様に画像データの固定化処理が行なわれることが理解されよう。
【００７５】
データ・レベルが固定された画像データによって表わされる垂直方向の画素数ｍ，ｎの固定値設定情報は，画像データ固定化装置23からデータ列作成回路20に与えられる。データ列作成回路20において，磁気テープ８のトラックのビデオ記録領域Ａ2 に画像データが記録され，補助記録領域Ａ3 に固定値設定情報が記録されるようにデータ列が作成され，磁気テープ８に記録される。図９に示すディジタル・ビデオ・テープ・レコーダにおいては約70画素分の画像データが２つに分割されて得られた約35万画素の画像データが10トラックずつ20トラックに分けて記録される。
【００７６】
図10は，図９に示すディジタル・ビデオ・テープ・レコーダに記録された画像データを再生する回路の電気的構成を示すブロック図である。図10においても図２に示すものと同一物には同一符号を付して説明を省略する。
【００７７】
磁気テープ31から，連続する20トラックのデータの読出しが行なわれると，図12左端に示される画像を表わす画像データが得られる。これらの画像データはビデオ信号生成およ表示制御回路35に与えられ画像表示に適したビデオ信号が生成される。ビデオ信号は画像合成回路36に与えられ，水平方向720 画素，垂直方向720 画素から構成される高画質のワイド表示画像が得られるように画像合成処理が行なわれる。高画質のワイド表示画像は表示制御にもとづいて表示装置41に表示される。また必要ならば水平方向720 画素，垂直方向360 画素または水平方向720 画素，垂直方向480 画素となるように画像データ量を調整し，通常画質のワイド表示画像または通常画質のノーマル表示画像を表示装置41に表示してもよい。
【００７８】
図13はさら他の実施例を示すもので，ディジタル・ビデオ・テープ・レコーダの記録過程に得られる画像データによって表わされる画像を示している。
【００７９】
図13に示す処理は撮像によって水平方向720 画素，垂直方向960 画素＝約70万画素の高画質なノーマル表示画像用の画像データを得，この得られた画像データから，水平方向720 画素，垂直方向360 画素の通常画質の２つのワイド表示画像用の画像データを得るものである。このようにして得られた通常画質の２つのワイド表示画像用の画像データはそのまま水平方向720 画素，垂直方向360 画素の通常画質のワイド表示画像として表示してもよいし，組合わせることにより水平方向720 画素，垂直方向720 画素のワイド表示画像として表示してもよい。
【００８０】
図13に示す画像を表わす画像データの記録は図９に示すディジタル・ビデオ・テープ・レコーダによって可能である。
【００８１】
ＣＣＤ12Ａを用いて被写体を撮像することにより水平方向720 画素，垂直方向960 画素の高画質のノーマル表示画像用の画像データが得られる。この画像データは画像分割回路22Ａ，22Ｂおよび22Ｃにおいて，輝度データＹ，色差データＲ−ＹおよびＢ−Ｙのそれぞれについて，偶数ラインの画像データから構成される画像と奇数ラインの画像データから構成される画像とに分けられる。これにより，水平方向720 画素，垂直方向480 画素＝約35万画素の２つの画像データ（輝度データＹ，色差データＲ−ＹおよびＢ−Ｙ）が得られる。これ以降は図３を参照て説明した処理と同様の処理であり，偶数ラインから構成される画像データおよび奇数ラインから構成される画像データのそれぞれについて，水平方向720 画素，垂直方向360 画素を除く画像データのレベルを一定レベルに固定し（図13においても一定レベルに固定された画像データによって表わされる画像の部分がハッチングで示されている），磁気テープ８に記録される。図13に示す例では水平方向720 画素，垂直方向480 画素＝約35万画素のデータが２つあるので10トラックずつ，連続する20トラックを用いて磁気テープ８に記録が行なわれる。
【００８２】
このようにして磁気テープ８に記録された画像データは再生時において読出され，偶数ラインと奇数ラインとが交互となるように画像データが合成されることにより水平方向720 画素，垂直方向720 画素の高画質のワイド表示画像が得られる。また画像合成をせずとも水平方向720 画素，垂直方向360 画素の通常画質のノーマル表示画像が得られる。
【図面の簡単な説明】
【図１】この発明の実施例を示すもので，ディジタル・ビデオ・テープ・レコーダの記録系の電気的構成を示すブロック図である。
【図２】ディジタル・ビデオ・テープ・レコーダの再生系の電気的構成を示すブロック図である。
【図３】画像データによって表わされる画像の一例を示している。
【図４】  (A) は１フレームの輝度データにより表わされる画面を，(B) は１フレームの色差データにより表わされる画面を示している。
【図５】画面の右端におけるブロック生成処理を示している。
【図６】マクロ・ブロックを示している
【図７】シャフリング処理を示している。
【図８】  (A) は磁気テープのフォーマットを示し，(B) はトラック・フォーマットを示している。
【図９】他の実施例を示すもので，ディジタル・ビテオ・テープ・レコーダの記録系の電気的構成を示すブロック図である。
【図１０】ディジタル・ビデオ・テープ・レコーダの再生系の電気的構成を示すブロック図である。
【図１１】画像データによって表わされる画像の一例を示している。
【図１２】画像データによって表わされる画像の一例を示している。
【図１３】画像データによって表わされる画像の一例を示している。
【符号の説明】
12，12Ａ  ＣＣＤ
16Ａ，16Ｂ，16Ｃ，23Ａ，23Ｂ，23Ｃ，23Ｄ，23Ｅ，23Ｆ  画像データ固定化回路
19  データ圧縮回路
22Ａ，22Ｂ，22Ｃ  画像分割回路
【図１】
0003706408.tif 000002
【図２】
0003706408.tif 000003
【図３】
0003706408.tif 000004
【図４】
0003706408.tif 000005
【図５】
0003706408.tif 000006
【図６】
0003706408.tif 000007
【図７】
0003706408.tif 000008
【図８】
0003706408.tif 000009
【図９】
0003706408.tif 000010
【図１０】
0003706408.tif 000011
【図１１】
0003706408.tif 000012
【図１２】
0003706408.tif 000013
【図１３】
0003706408.tif 000014